(57)【要約】【課題】放火等による火災の延焼防止に有効で、設置の際の施工性に優れた散水機能を搭載したボックス型水栓を提供する。【解決手段】壁やパネルなどの取付け壁面２０２に、矩形状のカバー１の表面に、レバー部２ａ付きの開閉ハンドル２と吐水口部３と、スプリンクラー３０がカバー１より突出して設けられている。吐水口部３ならびにスプリンクラー３０へは、立ち上げ給水管５を通じて、水が供給されるようになっている。前面を開口した箱状の埋め込みボックス４の下面には立ち上げ給水管５が挿入され、且つ鞘管５ａを保持するガイド筒６が設けられると共に、埋め込みボックス４には正面から見て略逆Ｕ字状を呈した水栓７がネジ８で取付け固定されている。水栓７の第１流路９ａの上流にはスプリンクラー３０がネジ８ａで取り付け固定されている。【選択図】  図２
2004167027.tif 000002
【特許請求の範囲】
【請求項１】
前面を開口したボックス内に、給水管に接続された吐水口部と、前記給水管の途中に設けた開閉弁とを備えた水栓を収納し、さらに前記開口を覆うカバーを有するボックス型水栓において、前記ボックス内の給水管にスプリンクラーを接続することを特徴としたボックス型水栓。
【請求項２】
前記スプリンクラーの感熱部は前記カバーより前面に突出して設けられたことを特徴とした請求項１に記載のボックス型水栓。
【請求項３】
前記スプリンクラーは、ボックス型水栓の取り付け壁面に散水を行う壁面散水型、または前記取り付け壁面に略平行に散水を行う壁面平行散水型としたことを特徴とした請求項１、２に記載のボックス型水栓。
【請求項４】
前記スプリンクラーを開放型とし、スプリンクラー作動弁をボックス内に内蔵し、ボックス外に設けられた熱感知器または煙感知器の火災検出信号によりスプリンクラー作動弁を作動させることを特徴とした請求項１、３に記載のボックス型水栓。
【請求項５】
前記スプリンクラーの散水板を略お碗型形状または円錐型形状としたことを特徴とした請求項１、２、３、４に記載のボックス型水栓。
【発明の詳細な説明】
【０００１】
【発明の属する技術分野】
本発明は、屋外の散水用などに用いられ、取付け面からの突出を抑えたボックス型水栓に関する。
【０００２】
【従来の技術】
建物火災における死者数はここ数年微増傾向にあり、高齢化社会の到来によりさらに増加することが懸念されている。また、火災の出火原因を見てみると、放火・放火の疑いによるものが約２割を占め、出火原因のトップとなっており、社会や経済が成熟していくにつれ失業率の増加等を背景にその数も増加傾向にある。
【０００３】
いざ火災が発生すると、被害を最小限にとどめるためには早期発見による初期消火が最も重要であり、一部の建物にはスプリンクラー設備等が設置されている。しかしながら、スプリンクラー設備は屋内での火事の早期発見、初期消火を担うものであり、放火のように屋外から延焼するようなケースでは効果を発揮できないという問題点がある。このような問題点を解決するために特許文献１に示されているように、屋外の雨どいの下方に散水管を設置し、延焼を防止しようとするものがある。
【０００４】
図１０はこの従来の防火用散水管の設置図である。建物の屋根３０１の軒には雨どい３０３が設けられており、この雨どい３０３に支持されるように防災用散水管３０４が設けられている。この防災用散水管３０４には建物の壁面３０２に向けて多数の小穴が開けられており、防火用散水管の元弁を開くことで壁面３０２に向けて散水が行われるようになっている。
【０００５】
【特許文献１】
実開昭５８−４０１６１号公報（第１図）
【０００６】
【発明が解決しようとする課題】
しかしながら、上記した従来例においては、防火用散水管を建物の屋根の軒を一周するように設置する必要があり、次のような問題点があった。
（１）屋根の軒という高い位置に防火用散水管を設置する必要があり、施工が難しい。
（２）防火用散水管を建物の屋根を一周するように設置するため、防火用散水管の配管長が長くなり、施工に手間を要しかつコストが高くなる。
（３）屋根の雨どいのない壁面側に設置する際に防火用散水管が露出してしまい、建物の意匠を損なってしまう。
【０００７】
本発明は上記課題を解決するためになされたもので、本発明の目的は、放火等による火災の延焼防止に有効で、設置の際の施工性に優れた散水機能を搭載したボックス型水栓を提供することにある。
【０００８】
【課題を解決するための手段】
上記目的を達成するために請求項１では、  前面を開口したボックス内に、給水管に接続された吐水口部と、前記給水管の途中に設けた開閉弁とを備えた水栓を収納し、さらに前記開口を覆うカバーを有するボックス型水栓において、前記ボックス内の給水管にスプリンクラーを接続することを特徴とした。
【０００９】
請求項２では、請求項１に記載のボックス型水栓において、前記スプリンクラーの感熱部は前記カバーより前面に突出して設けられたことを特徴とした。
【００１０】
請求項３では、請求項１、２に記載のボックス型水栓において、前記スプリンクラーは、ボックス型水栓の取り付け壁面に散水を行う壁面散水型、または前記取り付け壁面に略平行に散水を行う壁面平行散水型とした。
【００１１】
請求項４では、請求項１、３に記載のボックス型水栓において、前記スプリンクラーを開放型とし、スプリンクラー作動弁をボックス内に内蔵し、ボックス外に設けられた熱感知器または煙感知器の火災検出信号によりスプリンクラー作動弁を作動させることとした。
【００１２】
請求項５では、請求項１、２、３、４に記載のボックス型水栓において、前記スプリンクラーの散水板を略お碗型形状または円錐型形状とした。
【００１３】
【発明の実施の形態】
以下、本発明の実施の形態を、図面により詳細に説明する。
【００１４】
図１は本発明のボックス型水栓の外観斜視図、図２は正面のカバー１を外した時の内観斜視図である。
【００１５】
図１において、壁やパネルなどの取付け壁面２０２に露出した矩形状のカバー１の表面に、レバー部２ａ付きの開閉ハンドル２と吐水口部３と、スプリンクラー３０がカバー１より突出して設けられている。吐水口部３ならびにスプリンクラー３０へは、立ち上げ給水管５を通じて、水が供給されるようになっており、この立ち上げ給水管５は鞘管５ａにより保護されている。図２に示すように前面を開口した箱状の埋め込みボックス４の下面には立ち上げ給水管５が挿入され、且つ鞘管５ａを保持するガイド筒６が設けられると共に、埋め込みボックス４には正面から見て略逆Ｕ字状を呈した水栓７がネジ８で取付け固定されている。水栓７の流路９は、上方に向かう第１流路９ａと、この第１流路９ａ上端部から略水平方向に伸びる第２流路９ｂと、この第２流路９ｂ端部から下方斜め前方に伸びる第３流路９ｃにより構成されている。さらに、水栓７の第１流路９ａの上流にはスプリンクラー３０がネジ８ａで取り付け固定されている。立ち上げ給水管５は架橋ポリエチレン管を用い、その先端部にはスプリンクラー３０の入口側接続部内周面に水密状に嵌入される継手部材１１が取付けられている。又、継手部材１１とスプリンクラー３０の入口部３０ａは断面略Ω字形状を呈したステンレス板製のクイックファスナー１４により接合され、継手部材１１の抜け止めを図っている。また、スプリンクラー３０の出口部と水栓７の第１流路９ａも同じくクイックファスナー１４により接合されている。また、埋め込みボックス４は４つのネジ８ｂにより取付け壁面２０２に固定されており、ボックス型水栓のカバー１はカバー１の裏面に設けられた６つの爪部（図示せず）が埋め込みボックス４の凹部２０ａに挿入されることで固定されるようになっている。なお、本実施例では埋め込みボックス４は、前面を開口し他の５つの面は覆われた箱型形状としたが、水栓７とスプリンクラー３０が支持できれば箱型形状でなく、例えばフレームにより構成された物でも構わない。
【００１６】
水栓７の第１流路９ａ上端部と第２流路９ｂとの連絡部分には９０度の回転で開閉するボール弁等で構成された開閉弁部１５が設けられている。この開閉弁部１５のスピンドル１５ａには、カバー１の開口を挿通してハンドル２が、レバー部２ａが水平方向を向いている時は開閉弁部１５が閉じ、レバー部２ａが下方向を向いている時は開閉弁部１５が開くように取付け固定されている。
【００１７】
水栓７の第３流路９ｃ先端部には、洗濯機や散水金具等のフレキシブルホースの基端部に設けた雌カプラー部が接続される雄カプラー部１６を備えた銅合金製の吐水口部３が斜め前方下向きに接続され、この雄カプラー部１６がカバー１に設けた斜め向きのガイド筒１７より突出している。
【００１８】
又、この吐水口部３内には、フレキシブルホースの基端部に設けた雌カプラー部が雄カプラー部１６に装着された時は開き、雌カプラー部が外れた時には閉じる止水弁が設けられている。
【００１９】
尚、当実施例では、吐水口部３を止水弁を組み込んだ雄カプラー式としたが、止水弁を組み込まずに、単純な管形状の吐水口としてもよい。
【００２０】
又、２０はフレームで、このフレーム２０と埋め込みボックス４との間に取付け壁面２０２を挟み込んで埋め込みボックス４を取付け面に固定するものであり、又、２１は立ち上げ給水管５に装着するスカート部材で、接続部からの漏水を埋め込みボックス４前面開口を伝って取付け面２０２表面に導いて、漏水がガイド筒６を伝って取付け面２０２裏側に漏れることを防ぐためのものである。
【００２１】
このように、埋め込みボックス４内に水栓７とスプリンクラー３０を内蔵し、樹脂配管を使って配管するようにしたことで、建物の意匠を損なうこともなく、かつ、省施工を実現している。
【００２２】
図３は、スプリンクラー３０の平常時の断面図、図４は、スプリンクラー３０作動時の断面図である。
【００２３】
本体３１は中央に導水口３７が設けられており、その左端部は弁座３８となっており、右側外周は雄ネジ３９が螺設され、左端はフランジ４０となっている。
【００２４】
フレーム３２は円筒状であり、左端はフランジ４１となっていて、右端は前述本体３１のフランジ４０に螺合している。
【００２５】
弁体３３は右部にパッキン５５が被着されていて、平常時は、本体３１の弁座３８に当接し導水口３７を閉鎖している。
【００２６】
お椀形状の散水板３４は、平常時、弁体３３の左部に当接して配置されており、作動時は、リング４２にアーム４６（図４参照）で吊設されるようになっている。
【００２７】
感熱分解部４５はフレーム３２の左部に設置されており、バランサー４３を介して弁体３３を保持している。感熱分解部４５については公知であるため、ここでは詳細な説明は省略する。
【００２８】
感熱分解部４５の左端には、お椀形状の集熱板３０ａが取り付けられており、火災時の放射熱を収集し低融点合金４４に熱を伝えるはたらきをする。
【００２９】
感熱分解部４５のカバー３６は円筒状となっており、フレーム３２に取り付けられている。カバー３６は、感熱分解部４５を隠蔽しており、カバー３６の下辺には熱気流の流入部４９が形成されている。
【００３０】
次にスプリンクラー３０の火災発生時の作動について説明する。
【００３１】
火災が発生すると、火災の異常高温で集熱板３０ａが加熱され、その熱が低融点合金４４へ伝播し、低融点合金４４が溶融すると感熱分解部４５のバランスが崩れ、感熱分解部４５が分解して感熱分解部４５を構成する全ての部品が放出される。これにより弁体３３と散水板３４が水圧により左側に押されて、導水口３７が開口し、散水を開始する。
【００３２】
導水口３７の内部を矢印Ａの方向に流れ噴出した水は、図４に示す如く、前方の散水板３４に当たって散布される。散水板をお椀形状としているため、散水板３４に当たった水は後方（矢印Ｂ方向）へ散布され、取り付け壁面全体を広範囲にわたって濡らすことができ、放火等による延焼を防止することができる。
【００３３】
図５は、散水板形状を円錐状に変更したスプリンクラー３０の作動時の断面図である。
【００３４】
導水口３７の内部を矢印Ａの方向に流れ噴出した水は、図５に示す如く、前方の散水板３４ａに当たって散布される。散水板を円錐形状としているため、散水板３４ａに当たった水は後方（矢印Ｂ方向）へ散布され、取り付け壁面全体を広範囲にわたって濡らすことができる。また、散水板３４ａの円錐の先端角度をさらに大きくするとの散水板３４ａに当たった水は、取り付け壁面に略平行に散水することができ、この場合においても放火等による延焼を防止することができる。
【００３５】
図６は、散水板形状をさらに変更したスプリンクラー３０の作動時の断面図である。図４に比べ外周近傍の湾曲率を大きくした散水板３４ｂを採用している。
【００３６】
導水口３７の内部を矢印Ａの方向に流れ噴出した水は、図６に示す如く、前方の散水板３４ｂに当たって散布される。散水板のお椀形状の外周近傍の湾曲率を大きくしているため、散水板３４ｂに当たった水は、取り付け壁面に略平行（矢印Ｃ方向）に散水することができこの場合においても放火等による延焼を防止することができる。
【００３７】
図７は、本発明のボックス型水栓の通水経路のブロック図である。
【００３８】
立ち上げ給水管５の下流にスプリンクラー３０が備えられ、その下流には開閉ハンドル２、開閉弁部１５を備えた水栓７が、さらにその下流に吐水口部３が備えられている。スプリンクラー３０は火災時にしか散水されないため、給水源からそこに至るまでの水は停滞水となり衛生上好ましくないが、スプリンクラー３０の下流に平常時にも使用する水栓７を設けることで給水源からスプリンクラー３０までの水が停滞水となることがなくなる。
【００３９】
図８は、本発明の別の実施例のボックス型水栓の通水経路のブロック図である。
【００４０】
図７では閉鎖型のスプリンクラー３０としたが、図８では開放型のスプリンクラー６０とした。開放型のスプリンクラー６０はスプリンクラー作動弁６１の開閉により散水の開始／停止が行われる。スプリンクラー６０は開放型であるため、図３で示した感熱分解部４５は削除され、導水口３７が常時開放されたものとなっている。
【００４１】
図９は、本発明のボックス型水栓を戸建て住宅に設置した図である。
【００４２】
給水源から供給される水は給水本管から分岐した配水管１０１、水道メーター１０２、元バルブ１０３、配水管１０４を経て、分岐ヘッダー１０５に供給される。分岐ヘッダー１０５は戸建て住宅の基礎部２０３と床部２０６の間に設置されている。分岐ヘッダー１０５の下流で配水管は６つの経路に分岐されている。分岐管５ｂは埋め込みボックス４へ、分岐管５ｃは埋め込みボックス４ａへ、分岐管１０６は浴室水栓へ、分岐管１０７は洗面所水栓へ、分岐管１０８は台所水栓へ、分岐管１０９はトイレ便器へとそれぞれ接続されている。
【００４３】
埋め込みボックス４、４ａは取り付け壁面２０２に埋め込み設置されている。埋め込みボックス４には図１、図２で説明したように開閉ハンドル２、閉鎖型のスプリンクラー３０、吐水口部３が備えられている。また、埋め込みボックス４ａには、開閉ハンドル２、開放型のスプリンクラー６０、吐水口部３が備えられている。また、埋め込みボックス４ａにはスプリンクラー作動弁６１が内蔵されている（図示省略）。埋め込みボックス４ａの上方の軒下には煙感知器１１３が設置されており、火災等により煙を感知すると信号線１１２を通じて制御盤１１４へ火災検出信号を発信するように構成されている。制御盤１１４は火災信号が入力されると埋め込みボックス４ａ内のスプリンクラー作動弁６１へ信号線１１１を通じて開信号を送信する。開信号を受けスプリンクラー作動弁６１は開弁され、スプリンクラー６０から取り付け壁面２０２へ向けて散水が開始される。
【００４４】
尚、本実施例では、１つの煙感知器１１２を制御盤接続する構成としたが、煙感知器を複数設置して警戒区域を広げることもできる。また、煙感知器の代りに熱感知器を用いてもよいし、煙感知器と熱感知器を組み合わせて接続しても構わない。
【００４５】
このように、スプリンクラー作動弁が前記ボックス内に内蔵されているために、わざわざスプリンクラー作動弁の取り付け工事を行う必要がなく省施工を実現できる。また、熱感知器または煙感知器の火炎検出信号によりスプリンクラー作動弁が作動するようにしたため、建物の状況に応じて感知器を設置できるため、火災検出の警戒区域を正確に設定することが容易になる。また、ひとつのスプリンクラー作動弁に対して複数の感知器をつなぐことができ、火災検出の警戒区域を広げることができる。
【発明の効果】
【００４６】
以上より、本発明によれば次の効果を有することができる。
【００４７】
請求項１では、前面を開口したボックス内に、給水管に接続された吐水口部と、前記給水管の途中に設けた開閉弁とを備えた水栓を収納し、さらに前記開口を覆うカバーを有するボックス型水栓において、前記ボックス内の給水管にスプリンクラーを接続することを特徴とした。
【００４８】
よって、ボックス内の水栓までの配管とスプリンクラーまでの配管を共通にすることができ、わざわざスプリンクラー用の配管を別に設置する必要がなく施工性に優れ、かつ、スプリンクラーがボックス内に組み込まれているため、建物の意匠を損なうことがない。さらに、開閉弁を開けて吐水口から水を吐水させることで火災時しか使用されないスプリンクラーまでの配管の停滞水もなくすことができる。
【００４９】
請求項２では、請求項１に記載のボックス型水栓において、前記スプリンクラーの感熱部は前記カバーより前面に突出して設けられたことを特徴とした。
【００５０】
よって、ボックス水栓取り付け壁面近傍の火災を確実に検出することができる。
【００５１】
請求項３では、請求項１、２に記載のボックス型水栓において、前記スプリンクラーは、ボックス型水栓の取り付け壁面に散水を行う壁面散水型、または前記取り付け壁面に略平行に散水を行う壁面平行散水型とした。
【００５２】
よって、スプリンクラー作動時にボックス型水栓の取り付け壁面全体を濡らす、または、取り付け壁面へ略平行に散水することにより放火等による火災の建物への延焼を防止することができる。
【００５３】
請求項４では、請求項１、３に記載のボックス型水栓において、前記スプリンクラーを開放型とし、スプリンクラー作動弁をボックス内に内蔵し、ボックス外に設けられた熱感知器または煙感知器の火災検出信号によりスプリンクラー作動弁を作動させることとした。
【００５４】
よって、スプリンクラー作動弁がボックス内に内蔵されているために、わざわざスプリンクラー作動弁の取り付け工事を行う必要がなく省施工を実現できる。また、熱感知器または煙感知器の火炎検出信号によりスプリンクラー作動弁が作動するようにしたため、建物の状況に応じて感知器を設置できるため、火災検出の警戒区域を正確に設定することが容易になる。また、ひとつのスプリンクラー作動弁に対して複数の感知器をつなぐことができ、火災検出の警戒区域を広げることができる。
【００５５】
請求項５では、請求項１、２、３、４に記載のボックス型水栓において、前記スプリンクラーの散水板を略お碗型形状または円錐型形状とした。
【００５６】
よって、スプリンクラーのノズルから噴出した水がお椀型または円錐型の散水板の内面に当たり、散水板の内面に沿って外周方向に散水されるため、ボックス型水栓の取り付け壁面を濡らす、または、このお椀型散水板の湾曲率を調整することで、取り付け壁面へ略平行に散水することことができる。
【図面の簡単な説明】
【図１】本発明のボックス型水栓の外観斜視図
【図２】本発明のボックス型水栓の内観斜視図
【図３】本発明に係わるスプリンクラー３０の平時の断面図
【図４】本発明に係わるスプリンクラー３０の作動時の断面図
【図５】本発明に係わる散水板形状を円錐状にしたスプリンクラー３０の作動時の断面図
【図６】本発明に係わる散水板形状をさらに変更したスプリンクラー３０の作動時の断面図
【図７】本発明のボックス型水栓の通水経路のブロック図
【図８】本発明の別の実施例におけるボックス型水栓の通水経路のブロック図
【図９】本発明のボックス型水栓を戸建て住宅に設置した図
【図１０】従来の防火散水管の設置図
【符号の説明】
１  …カバー
２  …開閉ハンドル
２ａ…レバー部
３  …吐水口部
４、４ａ  …埋め込みボックス
５  …立ち上げ給水管
５ａ…鞘管
５ｂ、５ｃ…分岐管
６  …ガイド筒
７  …水栓
８、８ａ、８ｂ  …ネジ
９  …流路
９ａ…第１流路
９ｂ…第２流路
９ｃ…第３流路
１１…継手部材
１４…クイックファスナー
２１…スカート部材
３０…スプリンクラー
３０ａ…集熱板
３１…スプリンクラー本体
３２…フレーム
３３…弁体
３４…散水板
３４ａ…散水板
３４ｂ…散水板
３６…カバー
３７…導水口
３８…弁座
３９…雄ネジ
４０、４１…フランジ
４２…リング
４６…アーム
４３…バランサー
４４…低融点合金
４５…感熱分解部
４９…流入部
５５…パッキン
６０…開放型のスプリンクラー
６１…スプリンクラー作動弁
１０１…配水管
１０２…水道メーター
１０３…元バルブ
１０４…配水管
１０５…分岐ヘッダー
１０６、１０７、１０８、１０９…分岐管
１１１…信号線
１１２…信号線
１１３…煙感知器
１１４…制御盤
２０２…取付け壁面
２０３…基礎部
２０６…床部
３０３…雨どい
３０４…防災用散水管
【図１】
2004167027.tif 000003
【図２】
2004167027.tif 000004
【図３】
2004167027.tif 000005
【図４】
2004167027.tif 000006
【図５】
2004167027.tif 000007
【図６】
2004167027.tif 000008
【図７】
2004167027.tif 000009
【図８】
2004167027.tif 000010
【図９】
2004167027.tif 000011
【図１０】
2004167027.tif 000012